(57)【要約】【課題】シート積載部から送給されるシートに初期スキューが生じることがないシート搬送装置を提供する。【解決手段】シート積載部１０に積載したシートＳに上方から接してシートＳを送給するシート送給手段２０と、突当部３２および保持部３３を有する位置設定手段３０とを備え、シート送給手段２０は、シートＳに接する下降位置と、シートＳから離れる上昇位置との間を移動するよう構成され、突当部３２は、シート積載部１０に積載されるシートＳの送給方向先端部が突当部３２に突き当たる上位置と、シートＳの送給経路の下方へ退避する下位置との間を移動するよう構成され、保持部３３は、シート送給手段２０を上昇位置に押し上げる上位置と、シート送給手段２０を下降位置に引き下げる下位置との間を移動するよう構成されている。【選択図】図１
2015098389.tif 000002
【特許請求の範囲】
【請求項１】
シートが積載されるシート積載部と、前記シート積載部に積載したシートに上方から接して前記シートを送給するシート送給手段と、前記シート送給手段の下方に配置され、突当部および保持部を有する位置設定手段とを備え、
前記シート送給手段は、前記シートに接する下降位置と、前記シートから離れる上昇位置との間を移動するよう構成され、
前記突当部は、前記シート積載部に積載される前記シートの送給方向先端部が前記突当部に突き当たる上位置と、前記シートの送給経路の下方へ退避する下位置との間を移動するよう構成され、
前記保持部は、前記シート送給手段を上昇位置に押し上げる上位置と、前記シート送給手段を下降位置に引き下げる下位置との間を移動するよう構成されていることを特徴とするシート搬送装置。
【請求項２】
前記突当部がシート幅方向に並ぶとともに、前記保持部が前記突当部の間に配置されていることを特徴とする請求項１に記載のシート搬送装置。
【請求項３】
前記シート送給手段が前記保持部によって押し上げられるときに、前記シート送給手段または前記保持部に当接する摺動抵抗力低減部材を、前記保持部または前記シート送給手段に備えたことを特徴とする請求項１または請求項２に記載のシート搬送装置。
【請求項４】
前記摺動抵抗力低減部材が、摩擦力低減部材であることを特徴とする請求項３に記載のシート搬送装置。
【請求項５】
前記摺動抵抗力低減部材が、回転部材であることを特徴とする請求項３に記載のシート搬送装置。
【請求項６】
前記保持部が、前記突当部を形成する材料に比べて摩擦抵抗が小さい材料により形成されていることを特徴する請求項１または請求項２に記載のシート搬送装置。
【請求項７】
前記保持部が、前記突当部と異なる色であることを特徴とする請求項１ないし請求項６のいずれか１項に記載のシート搬送装置。
【請求項８】
請求項１ないし請求項７のいずれか１項に記載のシート搬送装置を装備したことを特徴とする画像読取装置。
【請求項９】
請求項８に記載の画像読取装置を搭載したことを特徴とする画像形成装置。
【発明の詳細な説明】
【技術分野】
【０００１】
本発明は、シート搬送装置、このシート搬送装置を備える画像読取装置および画像形成装置に関する。
【背景技術】
【０００２】
スキャナ、ファクシミリ、複写機などの画像形成装置に用いられる画像読取装置は、画像読取部に原稿を連続的に送り込むためのシート搬送装置を装備している。従来、シート積載部に積載されたシートに上方から接してシートを送給するピックアップローラと、ピックアップローラの下方に配置されたシート規制部材とを備えたシート搬送装置が知られている（例えば、特許文献１参照）。
【０００３】
上述したピックアップローラは、シートに接する位置と、シートから離れる位置との間を移動するよう構成されている。上述したシート規制部材は、シート積載部に積載されたシートの送給方向先端部が突き当たる位置と、シート送給経路の下方へ退避する位置との間を移動するよう構成されている。
【０００４】
さらに、シート規制部材は、シート積載部に積載されたシートの送給方向先端部が突き当たる位置に移動したときに、ピックアップローラをシートから離れる位置に移動させるよう構成されている。また、シート規制部材は、シート送給経路の下方へ退避する位置に移動したときに、ピックアップローラをシートに接する位置に移動させるよう構成されている。
【０００５】
すなわち、シート規制部材は、シート積載部に積載されたシートの送給方向先端部の位置を規制するとともに、ピックアップローラをシートから離れる位置へ押し上げるようになっている。
【発明の概要】
【発明が解決しようとする課題】
【０００６】
しかしながら、特許文献１には、シート規制部材がピックアップローラをシートから離れる位置へ押し上げるときに、シート規制部材にピックアップローラ等の荷重が作用して、シート規制部材が撓むことがある。このため、シート積載部にシートを積載する際に、シート規制部材が撓んだ分だけシートの送給方向先端部の位置がずれて、シートの姿勢が斜めになり、シート積載部から送給されるシートに初期スキューが生じることが懸念される。
【０００７】
本発明は、上述した課題を解決するためのもので、シート積載部から送給されるシートに初期スキューが生じることがないシート搬送装置を提供することを目的としている。
【課題を解決するための手段】
【０００８】
本発明に係るシート搬送装置は、上記目的を達成するため、シートが積載されるシート積載部と、前記シート積載部に積載したシートに上方から接して前記シートを送給するシート送給手段と、前記シート送給手段の下方に配置され、突当部および保持部を有する位置設定手段とを備え、前記シート送給手段は、前記シートに接する位置と、前記シートから離れる位置との間を移動するよう構成され、前記突当部は、前記シート積載部に積載される前記シートの送給方向先端部が前記突当部に突き当たる位置と、前記シートの送給経路の下方へ退避する位置との間を移動するよう構成され、前記保持部は、前記シート送給手段を前記シートから離れる位置に押し上げる位置と、前記シートの送給経路の下方へ退避する位置との間を移動するよう構成されている。
【発明の効果】
【０００９】
本発明によれば、シート積載部から送給されるシートに初期スキューが生じることがないシート搬送装置を提供することができる。
【図面の簡単な説明】
【００１０】
【図１】本発明の第１の実施形態に係るシート搬送装置においてシート送給手段がシートから離れた状態を示す概略側面図である。
【図２】本発明の第１の実施形態に係るシート搬送装置においてシート送給手段がシートに接した状態を示す概略側面図である。
【図３】図１のＡ方向視概略正面図である。
【図４】図３のＢ方向視概略平面図である。
【図５】本発明の第２の実施形態に係るシート搬送装置においてシート送給手段がシートから離れた状態を示す概略側面図である。
【図６】本発明の第３の実施形態に係るシート搬送装置においてシート送給手段がシートから離れた状態を示す概略側面図である。
【図７】本発明の第４の実施形態に係るシート搬送装置においてシート送給手段がシートから離れた状態を示す概略側面図である。
【図８】本発明の第５の実施形態に係るシート搬送装置においてシート送給手段がシートから離れた状態を示す概略側面図である。
【図９】本発明の第６の実施形態に係るシート搬送装置においてシート送給手段がシートから離れた状態を示す概略正面図である。
【発明を実施するための形態】
【００１１】
以下、本発明の実施形態について、図面を参照して説明する。
【００１２】
図１〜図４に示すように、本発明の第１の実施形態に係るシート搬送装置１は、シート積載部１０、シート送給手段２０および位置設定手段３０を備えている。
【００１３】
図１、図２に示すように、シート積載部１０は、テーブル１１と、テーブル１１のシート搬送方向下流側（図１、図２における左側）に隣接するガイド部１２とを含んで構成されている。
【００１４】
シート積載部１０には、原稿であるシートＳの束が、テーブル１１およびガイド部１２にわたって載置され、ガイド部１２の上面部に沿ってシートＳの搬送経路が形成されるようになっている。
【００１５】
ガイド部１２は、後述する位置設定手段３０の突当部３２および保持部３３を、ガイド部１２の上側に突出させるための図示しない上流側開口部を有している。また、ガイド部１２は、後述するシート送給手段２０のセパレートローラ２４の上部を、ガイド部１２の上側に露出させるための図示しない下流側開口部を有している。この下流側開口部は、上流側開口部よりもシート搬送方向下流側に位置している。
【００１６】
図１、図２に示すように、シート送給手段２０は、ガイド部１２の上方に配置したピックアップホルダ２１と、ピックアップローラ２２と、フィードローラ２３と、セパレートローラ２４と、ブラケット２５とを含んで構成されている。
【００１７】
ピックアップローラ２２は、シート幅方向に延びる軸線を有し、ガイド部１２に相対するように、ピックアップホルダ２１のシート搬送方向上流側（図１、図２における右側）端部に装着されている。ピックアップローラ２２は、図示しない駆動手段により、図１、図２中で時計回りに回転するよう構成されている。
【００１８】
フィードローラ２３は、ガイド部１２に相対するように、ピックアップホルダ２１のシート搬送方向下流側端部に装着されている。フィードローラ２３は、図示しない駆動手段により、図１、図２中で時計回りに回転するよう構成されている。
【００１９】
セパレートローラ２４は、ガイド部１２の下方に配置され、上部が前述した下流側開口部からガイド部１２の上方に露出するよう図示しないフレームに支持されている。セパレートローラ２４は、図示しない駆動手段により、図１、図２中で反時計回りに回転するよう構成されている。
【００２０】
ピックアップホルダ２１は、フィードローラ２３の軸線を中心として上下方向に揺動するよう図示しないフレームに支持されている。また、フィードローラ２３およびセパレートローラ２４は、外周部が互いに接してニップ部を形成するようになっている。
【００２１】
すなわち、ピックアップホルダ２１は、ピックアップローラ２２がシート積載部１０に積載したシートＳに上方から接する下降位置と、ピックアップローラ２２がシート積載部１０に積載したシートＳから離れる上昇位置との間を移動するようになっている。
【００２２】
ブラケット２５は、ピックアップローラ２２とフィードローラ２３との間に位置するとともに、ガイド部１２に相対するようピックアップホルダ２１に取り付けられている。
【００２３】
図１、図２に示すように、位置設定手段３０は、ガイド部１２の下方に配置した回動軸３１と、回動軸３１に取り付けた複数の突当部３２および保持部３３とを含んで構成されている。
【００２４】
回動軸３１は、金属材料により形成されている。突当部３２および保持部３３は、樹脂材料により形成されている。突当部３２を形成する樹脂材料には、目視しやすい明るい色のものを用い、保持部３３を形成する樹脂材料には、黒等の目立ち難い色のものを用いる。
【００２５】
図３、図４に示すように、回動軸３１は、シート幅方向に延び、図示しないフレームに支持されている。回動軸３１は、図示しない駆動手段により、周方向に回動するよう構成されている。
【００２６】
突当部３２は、シート幅方向に間隔を置いて並び、それぞれの基端部が回動軸３１に嵌着されている。突当部３２は、回動軸３１の回動に応じて、突当部３２の先端部分が前述した上流側開口部からガイド部１２の上方へ突出する上位置と、突当部３２全体がガイド部１２の下方に退避する下位置との間を移動するようになっている。
【００２７】
突当部３２は、上位置において、突当部３２の先端部分に、シート積載部１０に積載されるシートＳの送給方向先端部が突き当たるよう構成されている。また、突当部３２は、下位置において、突当部３２全体がシートＳの送給経路の下方へ退避するよう構成されている。
【００２８】
保持部３３は、所定の突当部３２の間に位置し、基端部が回動軸３１に嵌着されている。保持部３３は、回動軸３１の回動に応じて、保持部３３の先端部分が前述した上流側開口部からガイド部１２の上方に突出する上位置と、保持部３３全体がガイド部１２の下方に退避する下位置との間を移動するようになっている。
【００２９】
保持部３３は、上位置において、保持部３３の先端部分がブラケット２５に突き当たり、シート送給手段２０を上昇位置に押し上げるよう構成されている。また、保持部３３は、下位置において、保持部３３全体がシートＳの送給経路の下方へ退避して保持部３３の先端部分がブラケット２５から離れ、シート送給手段２０を下降位置に引き下げるよう構成されている。
【００３０】
さらに、図１に示すように、上位置における保持部３３の先端部分は、上位置における突当部３２の先端部分よりもシート搬送方向下流側に位置するよう構成されている。
【００３１】
前述したピックアップローラ２２、フィードローラ２３、セパレートローラ２４および回動軸３１の駆動手段はいずれもモータであり、これらのモータは、図示しないコントローラが制御するようになっている。
【００３２】
また、図４に示すように、前述したシート積載部１０は、シートＳの一縁部が当接してシートＳの幅方向位置を設定するためのサイド基準フェンス１３を有している。
【００３３】
以下、本発明の第１の実施形態に係るシート搬送装置１の作動について説明する。
【００３４】
シート搬送装置１の待機時には、突当部３２および保持部３３を上位置に移動させて、突当部３２および保持部３３の先端部分をガイド部１２の上方へ突出させ、保持部３３によりシート送給手段２０を上昇位置に押し上げておく。これにより、シート積載部１０にシートＳの束を積載できる状態になる。
【００３５】
シート積載部１０にシートＳを積載すると、シートＳの送給方向先端部は、突当部３２の先端部分には突き当たるが、保持部３３の先端部分には突き当たらない。これは、上位置において突当部３２の先端部分よりも保持部３３の先端部分のほうがシート搬送方向下流側に位置しているからである。これより、シートＳは、送給方向先端部が突当部３２によって位置決めされ、一縁部がサイド基準フェンス１３によって位置決めされる。
【００３６】
また、保持部３３にはシート送給手段２０の荷重が作用するため、保持部３３が撓むことがあるが、突当部３２にはシート送給手段２０の荷重が作用しないため、突当部３２は撓むことがなく、突当部３２のシート送給方向の位置がずれることがない。したがって、シート積載部１０にシートＳを積載する際に、シートＳの送給方向先端部の位置がずれることがなく、シート積載部１０から送給されるシートＳに初期スキューが生じることがない。
【００３７】
さらに、突当部３２を形成する樹脂材料に、目視しやすい明るい色のものを用いているため、シートＳをシート積載部１０に積載する際に、ユーザーに突当部３２の位置を積極的に意識させることができる。よって、ユーザーは、シートＳの送給方向先端部を突当部３２に確実に突き当てることができる。反対に、保持部３３を形成する樹脂材料は、黒等の目立ち難い色のものを用いているため、ユーザーが突当部３２と保持部３３とを見間違うことがない。
【００３８】
図５に示すように、本発明の第２の実施形態に係るシート搬送装置２は、シート積載部１０、シート送給手段２０および位置設定手段３０を備えている。図５中、図１〜図４と同一の符号を付した部分は、同一物を表している。
【００３９】
図５に示すように、シート搬送装置２は、摺動抵抗力低減部材として、摩擦抵抗が小さい樹脂材料で形成した摩擦力低減部材２６を備えている。摩擦力低減部材２６は、位置設定手段３０の保持部３３の先端部に相対するようシート送給手段２０のブラケット２５の下面部に取り付けられている。
【００４０】
シート搬送装置２は、保持部３３がシート送給手段２０を押し上げるときに、摩擦抵抗が小さい摩擦力低減部材２６に保持部３３の先端部が接して摺動する。このため、保持部３３に作用する応力および回動軸３１の駆動手段に作用する負荷を軽減することができる。
【００４１】
図６に示すように、本発明の第３の実施形態に係るシート搬送装置３は、シート積載部１０、シート送給手段２０および位置設定手段３０を備えている。図６中、図１〜図４と同一の符号を付した部分は、同一物を表している。
【００４２】
図６に示すように、シート搬送装置３は、摺動抵抗力低減部材として、摩擦抵抗が小さい樹脂材料で形成した摩擦力低減部材３４を備えている。摩擦力低減部材３４は、シート送給手段２０のブラケット２５に相対するよう位置設定手段３０の保持部３３の先端部に取り付けられている。
【００４３】
シート搬送装置３は、保持部３３がシート送給手段２０を押し上げるときに、摩擦抵抗が小さい摩擦力低減部材３４がブラケット２５に接して摺動する。このため、保持部３３に作用する応力および回動軸３１の駆動手段に作用する負荷を軽減することができる。
【００４４】
図７に示すように、本発明の第４の実施形態に係るシート搬送装置４は、シート積載部１０、シート送給手段２０および位置設定手段３０を備えている。図７中、図１〜図４と同一の符号を付した部分は、同一物を表している。
【００４５】
図７に示すように、シート搬送装置４は、摺動抵抗力低減部材として、シート幅方向に延びる軸線を有するガイドローラ２７を備えている。ガイドローラ２７は、位置設定手段３０の保持部３３の先端部が接するようシート送給手段２０のブラケット２５に回転自在に取り付けられている。
【００４６】
シート搬送装置４は、保持部３３がシート送給手段２０を押し上げるときに、ガイドローラ２７に保持部３３の先端部が接してガイドローラ２７が回転する。このため、保持部３３に作用する応力および回動軸３１の駆動手段に作用する負荷を軽減することができる。
【００４７】
図８に示すように、本発明の第５の実施形態に係るシート搬送装置５は、シート積載部１０、シート送給手段２０および位置設定手段３０を備えている。図８中、図１〜図４と同一の符号を付した部分は、同一物を表している。
【００４８】
図８に示すように、シート搬送装置５は、摺動抵抗力低減部材として、シート幅方向に延びる軸線を有するガイドローラ３５を備えている。ガイドローラ３５は、シート送給手段２０のブラケット２５に接するよう位置設定手段３０の保持部３３の先端部に回転自在に取り付けられている。
【００４９】
シート搬送装置４は、保持部３３がシート送給手段２０を押し上げるときに、ガイドローラ３５がブラケット２５に接してガイドローラ２７が回転する。このため、保持部３３に作用する応力および回動軸３１の駆動手段に作用する負荷を軽減することができる。
【００５０】
図９に示すように、本発明の第６の実施形態に係るシート搬送装置６は、シート積載部１０、シート送給手段２０および位置設定手段３０を備えている。図９中、図１〜図４と同一の符号を付した部分は、同一物を表している。
【００５１】
図９に示すように、シート搬送装置６は、図１〜図４における保持部３３の代わりに、位置設定手段３０に保持部３６を用いている。保持部３６は、突当部３２を形成する樹脂材料に比べて摩擦抵抗が小さく、摺動性が高い樹脂材料により形成されている。
【００５２】
保持部３６は、所定の突当部３２の間に位置し、基端部が回動軸３１に嵌着されている。保持部３６は、回動軸３１の回動に応じて、保持部３６の先端部分が前述した上流側開口部からガイド部１２の上方に突出する上位置と、保持部３６全体がガイド部１２の下方に退避する下位置との間を移動するようになっている。
【００５３】
保持部３６は、上位置において、保持部３６の先端部分がブラケット２５に突き当たり、シート送給手段２０を上昇位置に押し上げるよう構成されている。また、保持部３６は、下位置において、保持部３３全体がシートＳの送給経路の下方へ退避して保持部３６の先端部分がブラケット２５から離れ、シート送給手段２０を下降位置に引き下げるよう構成されている。
【００５４】
さらに、上位置における保持部３６の先端部分は、前述した保持部３３と同様に、上位置における突当部３２の先端部分よりもシート搬送方向下流側に位置するよう構成されている。
【００５５】
シート搬送装置６は、保持部３６がシート送給手段２０を押し上げるときに、摩擦抵抗が小さい樹脂材料により形成した保持部３６の先端部がブラケット２５に接して摺動する。このため、保持部３６に作用する応力および回動軸３１の駆動手段に作用する負荷を軽減することができる。
【００５６】
本発明に係るシート搬送装置は、上述した実施の形態に限定されるものではない。また、本発明に係るシート搬送装置は、画像読取装置および画像形成装置に適用することができる。
【符号の説明】
【００５７】
１，２，３，４，５，６  シート搬送装置
１０  シート積載部
２０  シート送給手段
２６，３４  摩擦力低減部材（摺動抵抗力低減部材）
２７，３５  ガイドローラ（摺動抵抗力低減部材／回転部材）
３０  位置設定手段
３２  突当部
３３，３６  保持部
Ｓ  シート
【先行技術文献】
【特許文献】
【００５８】
【特許文献１】特許第４３２８２７２号公報
【図１】
2015098389.tif 000003
【図２】
2015098389.tif 000004
【図３】
2015098389.tif 000005
【図４】
2015098389.tif 000006
【図５】
2015098389.tif 000007
【図６】
2015098389.tif 000008
【図７】
2015098389.tif 000009
【図８】
2015098389.tif 000010
【図９】
2015098389.tif 000011